(57)【要約】【課題】ピッグテールとブラシ保持部とが接触することを低減することができるブラシ装置を提供する。【解決手段】各ブラシ保持部７は、基板６の一部にて構成される下壁と、基板６から軸方向に立設され周方向で対をなす第１側壁１０及び第２側壁１１と、下壁と軸方向に対向する蓋壁１２とを備えている。各ブラシ保持部７には、各ブラシ保持部７の第１側壁１０と蓋壁１２とに跨って設けられ、周方向反時計回り側（周方向一方側）と軸方向反基板側（軸方向一方側）とに開口する導出口１６が設けられている。各ブラシ保持部７には、ブラシ８が径方向に移動可能に保持されており、該ブラシ８に接続されたピッグテール１５は、自身とブラシ８との接続位置よりも周方向反時計回り側（周方向一方側）且つ軸方向先端側（軸方向一方側）で接続端子２２ａ，２２ｂに接続されている。【選択図】図１
2008104294.tif 000002
【特許請求の範囲】
【請求項１】
略円柱状の整流子の外周に当接し、ピッグテールを介して接続端子に接続されるブラシと、
前記ブラシを径方向に移動可能に保持するブラシ保持部と、
前記ブラシを前記整流子側に付勢する付勢部材と
を備えたブラシ装置において、
前記ブラシ保持部は、モータケース側に固定される基板の一部にて構成される下壁と、前記基板から軸方向に立設され前記ブラシの周方向両側面にそれぞれ沿う第１側壁及び第２側壁と、前記下壁と軸方向に対向し前記ブラシの軸方向端面に沿う蓋壁と、前記ピッグテールを導出するための導出口とを備え、
前記導出口は、前記第１側壁と前記蓋壁とに跨って設けられ、周方向一方側と軸方向一方側とに開口し、
前記ピッグテールは、自身と前記ブラシとの接続位置よりも周方向一方側且つ軸方向一方側で前記接続端子に接続されたことを特徴とするブラシ装置。
【請求項２】
請求項１に記載のブラシ装置において、
前記ピッグテールは、前記ブラシの周方向一方側の側面に接続されたことを特徴とするブラシ装置。
【請求項３】
請求項１又は２に記載のブラシ装置において、
前記下壁及び前記蓋壁は、軸方向に重ならないように形成されたことを特徴とするブラシ装置。
【請求項４】
請求項１〜３の何れか１項に記載のブラシ装置において、
前記付勢部材は、圧縮コイルばねであって、
前記ブラシ保持部は、前記ブラシの径方向外側に設けられ前記付勢部材を径方向外側から支持する付勢部材支持部を備え、
前記第１側壁及び前記第２側壁は、径方向において前記付勢部材に対応する部分に、前記基板から前記付勢部材の軸方向中央を超えて突設された突設部を備え、
前記下壁は、径方向において前記付勢部材に対応する部分に、前記第１側壁から前記第２側壁側へ前記付勢部材の周方向中央を超えて延設された付勢部材側下壁延設部を備え、
前記蓋壁は、径方向において前記付勢部材に対応する部分に、前記第２側壁から前記第１側壁側へ前記付勢部材の周方向中央を超えて延設された付勢部材側蓋壁延設部を備えたことを特徴とするブラシ装置。
【請求項５】
請求項１〜４の何れか１項に記載のブラシ装置において、
前記下壁は、径方向において前記ブラシに対応する部分に、前記第１側壁から前記第２側壁側へ前記ブラシの周方向中央を超えて延設されたブラシ側下壁延設部を備え、
前記蓋壁は、径方向において前記ブラシに対応する部分に、前記第２側壁から前記第１側壁側へ前記ブラシの周方向中央を超えて延設されたブラシ側蓋壁延設部を備えたことを特徴とするブラシ装置。
【請求項６】
請求項１〜５の何れか１項に記載のブラシ装置において、
前記接続端子は、厚さ方向が軸方向に対して直交する方向となるように前記基板に保持された導電板を前記基板と平行になるように折り曲げて形成されたことを特徴とするブラシ装置。
【発明の詳細な説明】
【技術分野】
【０００１】
本発明は、整流子の外周面に当接するブラシを備えたブラシ装置に関する。
【背景技術】
【０００２】
従来、直流モータのブラシ装置には、略円柱状に形成された整流子の径方向外側に設けられ、該整流子の外周面に当接するブラシと、ブラシを径方向に移動可能に保持するブラシ保持部と、ブラシを整流子側に付勢するスプリングとを備えたものがある（例えば、特許文献１参照）。このブラシ装置は、モータケース側に固定される基板とブラシ保持部とが一体に形成され、ブラシ保持部の上壁（蓋壁）にはブラシに接続されたピッグテールを導出するためのスリットが設けられており、該スリットから導出されたピッグテールが基板に設けられた接続端子に接続されている。
【特許文献１】特開２００３−２９９３２１号公報
【発明の開示】
【発明が解決しようとする課題】
【０００３】
しかしながら、上記ブラシ装置では、ピッグテールは、ブラシ保持部の上壁（蓋壁）に設けられたスリットから基板に設けられた接続端子へと引き出されるため、ピッグテールがスリットを構成する面、即ちブラシ保持部に接触し易く、この接触により生じる摩擦力（摩擦抵抗）によって整流子とブラシとの良好な接触が妨げられる虞がある。
【０００４】
本発明は、こうした実情に鑑みてなされたものであって、その目的は、ピッグテールとブラシ保持部とが接触することを低減することができるブラシ装置を提供することにある。
【課題を解決するための手段】
【０００５】
上記課題を解決するため、請求項１に記載の発明は、略円柱状の整流子の外周に当接し、ピッグテールを介して接続端子に接続されるブラシと、前記ブラシを径方向に移動可能に保持するブラシ保持部と、前記ブラシを前記整流子側に付勢する付勢部材とを備えたブラシ装置において、前記ブラシ保持部は、モータケース側に固定される基板の一部にて構成される下壁と、前記基板から軸方向に立設され前記ブラシの周方向両側面にそれぞれ沿う第１側壁及び第２側壁と、前記下壁と軸方向に対向し前記ブラシの軸方向端面に沿う蓋壁と、前記ピッグテールを導出するための導出口とを備え、前記導出口は、前記第１側壁と前記蓋壁とに跨って設けられ、周方向一方側と軸方向一方側とに開口し、前記ピッグテールは、自身と前記ブラシとの接続位置よりも周方向一方側且つ軸方向一方側で前記接続端子に接続された。
【０００６】
同構成によれば、導出口は、ブラシの周方向側面に沿う第１側壁とブラシの軸方向端面に沿う蓋壁とに跨って設けられ、周方向一方側と軸方向一方側とに開口するため、従来の蓋壁のみに形成されるスリットに比べて大きく開口する。そして、ピッグテールは、ブラシとの接続位置よりも周方向一方側且つ軸方向一方側で接続端子に接続されるため、ブラシ保持部の側壁や蓋壁が形成されない方向（開口の中央方向）へ引き出されて接続端子に接続されることになる。よって、ピッグテールとブラシ保持部とが接触することを低減することができる。その結果、ピッグテールとブラシ保持部との接触により生じる摩擦力（摩擦抵抗）によって整流子とブラシとの良好な接触が妨げられるといったことが低減され、整流子とブラシとの良好な接触を安定して得ることができる。
【０００７】
請求項２に記載の発明は、請求項１に記載のブラシ装置において、前記ピッグテールは、前記ブラシの周方向一方側の側面に接続された。
同構成によれば、ピッグテールはブラシの周方向一方側の側面に接続されているため、ピッグテールは周方向に導出される。よって、ブラシの軸方向端面に接続されたピッグテールを軸方向に導出した場合と比較して、短軸化を図ることができる。
【０００８】
請求項３に記載の発明は、請求項１又は２に記載のブラシ装置において、前記下壁及び前記蓋壁は、軸方向に重ならないように形成された。
同構成によれば、下壁及び蓋壁は軸方向に重ならないように形成されているため、例えばブラシ保持部を上下型のみで容易に一体成形することができる。
【０００９】
請求項４に記載の発明は、請求項１〜３の何れか１項に記載のブラシ装置において、前記付勢部材は、圧縮コイルばねであって、前記ブラシ保持部は、前記ブラシの径方向外側に設けられ前記付勢部材を径方向外側から支持する付勢部材支持部を備え、前記第１側壁及び前記第２側壁は、径方向において前記付勢部材に対応する部分に、前記基板から前記付勢部材の軸方向中央を超えて突設された突設部を備え、前記下壁は、径方向において前記付勢部材に対応する部分に、前記第１側壁から前記第２側壁側へ前記付勢部材の周方向中央を超えて延設された付勢部材側下壁延設部を備え、前記蓋壁は、径方向において前記付勢部材に対応する部分に、前記第２側壁から前記第１側壁側へ前記付勢部材の周方向中央を超えて延設された付勢部材側蓋壁延設部を備えた。
【００１０】
同構成によれば、第１側壁及び第２側壁の突設部により付勢部材の軸方向中央部分が支持（周方向両方向の移動が規制）される。また、下壁の付勢部材側下壁延設部及び蓋壁の付勢部材側蓋壁延設部により付勢部材の周方向中央部分が支持（軸方向両側への移動が規制）されるため、付勢部材を安定支持することができる。
【００１１】
請求項５に記載の発明は、請求項１〜４の何れか１項に記載のブラシ装置において、前記下壁は、径方向において前記ブラシに対応する部分に、前記第１側壁から前記第２側壁側へ前記ブラシの周方向中央を超えて延設されたブラシ側下壁延設部を備え、前記蓋壁は、径方向において前記ブラシに対応する部分に、前記第２側壁から前記第１側壁側へ前記ブラシの周方向中央を超えて延設されたブラシ側蓋壁延設部を備えた。
【００１２】
同構成によれば、下壁のブラシ側下壁延設部及び蓋壁のブラシ側蓋壁延設部により、ブラシの周方向中央部分が支持（軸方向両側への移動が規制）されるため、ブラシを安定支持することができる。
【００１３】
請求項６に記載の発明は、請求項１〜５の何れか１項に記載のブラシ装置において、前記接続端子は、厚さ方向が軸方向に対して直交する方向となるように前記基板に保持された導電板を前記基板と平行になるように折り曲げて形成された。
【００１４】
同構成によれば、接続端子を、厚さ方向が軸方向に対して直交する方向となるように基板に保持された導電板を基板と平行になるように折り曲げて形成することにより、接続端子を軸方向に大きく突出させることなく基板から離れた位置に容易に設けることができる。また、導電板は、厚さ方向が軸方向に対して直交する方向となるように基板に保持されているため、軸方向から見て基板において導電板を保持する部分を小さくすることが可能となり、基板を径方向に小さくすることができる。
【発明の効果】
【００１５】
本発明によれば、ピッグテールとブラシ保持部とが接触することを低減することができるブラシ装置を提供することができる。
【発明を実施するための最良の形態】
【００１６】
以下、本発明を具体化した一実施の形態を図面に従って説明する。
図１に示すように、直流モータ１の回転軸２には、図示しないロータコアとともに略円柱形状の整流子３が固定され、該整流子３の近傍には、ブラシ装置４が設けられている。なお、図１には、回転軸２及び整流子３を２点鎖線にて図示している。
【００１７】
ブラシ装置４のブラシホルダ５は、図示しないモータケースに対して固定される樹脂製の基板６と、該基板６に一体形成され（基板６の一部を含み）整流子３の径方向外側に配置される２つのブラシ保持部７とにより構成される。基板６は、略円盤状に形成され、その中心孔６ａには回転軸２（整流子３）が挿通されている。ブラシ保持部７は、基板６の端面６ｂから軸方向に突出するとともに、整流子３を挟んで径方向で対をなすように配置されている。
【００１８】
本実施の形態では、各ブラシ保持部７は、基板６の一部にて構成される下壁９（図２参照）と、基板６（下壁９）から軸方向に立設され周方向で対をなす第１側壁１０及び第２側壁１１と、下壁９（基板６）と軸方向に対向する蓋壁１２とを備え、それらが径方向に延びる略四角筒状に形成されている。そして、各ブラシ保持部７には、略四角柱状に形成されたブラシ８が径方向に移動可能に収容保持されている。
【００１９】
又、ブラシ保持部７は、ブラシ８の径方向外側に設けられる付勢部材支持部１３を備える。本実施の形態の付勢部材支持部１３は、基板６（下壁９）から軸方向に立設されている。又、付勢部材支持部１３は、第１側壁１０及び第２側壁１１の径方向外側端部同士を連結している。そして、ブラシ８と付勢部材支持部１３との間には、付勢部材としての圧縮コイルばね１４が圧縮された状態で介在されている。圧縮コイルばね１４は、その径方向外側端部が付勢部材支持部１３に支持され、その径方向内側端部でブラシ８を径方向内側（整流子３側）に付勢する。尚、この状態で、ブラシ８は、その径方向内側先端部分がブラシ保持部７から整流子３側へ僅かに突出し、整流子３の外周に当接した状態で保持される。
【００２０】
また、各ブラシ保持部７には、ブラシ８にその基端が埋設されて電気的に接続されたピッグテール１５を導出するための導出口１６が設けられている。詳しくは、本実施の形態では、ピッグテール１５は、周方向反時計回り側（第１側壁１０側）からブラシ保持部７の外部に導出されるように、ブラシ保持部７に収容保持されたブラシ８の周方向反時計回り側の側面８ａにその基端が埋設（接続）されている。又、ピッグテール１５は、ブラシ８の径方向外側であって、ブラシの前記軸方向（図２中、左右方向）の中央部にその基端が埋設（接続）されている。そして、導出口１６は、第１側壁１０と蓋壁１２とに跨って設けられ、周方向反時計回り側（周方向一方側）と軸方向反基板側（軸方向一方側）とに開口している。尚、導出口１６の一部を構成する第１側壁１０の一部（径方向内側）は、勿論、前記ピッグテール１５の基端部（その可動範囲）と周方向に対向しないように、前記軸方向の中間部より低く立設されている。又、導出口１６は、ブラシ８を径方向内側からブラシ保持部７に挿入可能とすべく、ブラシ保持部７の径方向内側端面にも開口している。
【００２１】
又、第１側壁１０は、図２に示すように、径方向において前記圧縮コイルばね１４に対応する部分であって径方向外側に、基板６から圧縮コイルばね１４の軸方向（図２中、左右方向）中央を超えて（本実施の形態ではブラシ８の軸方向の長さと略同じ高さに）突設された突設部１０ａを備える。又、第２側壁１１は、その径方向全体が基板６から圧縮コイルばね１４の軸方向中央を超えて（本実施の形態ではブラシ８の軸方向の長さと略同じ高さに）形成され、その径方向において前記圧縮コイルばね１４に対応する部分（径方向外側）が突設部１１ａを構成している。
【００２２】
又、蓋壁１２は、第２側壁１１の先端における径方向中央部から第１側壁１０側へ圧縮コイルばね１４の周方向（図１中、左右方向）中央を超えて（本実施の形態では、若干超えるように）延設されている。そして、この蓋壁１２の径方向において圧縮コイルばね１４に対応する部分（径方向外側）は付勢部材側蓋壁延設部１２ａを構成し、径方向においてブラシ８に対応する部分（径方向内側）はブラシ側蓋壁延設部１２ｂを構成している。尚、圧縮コイルばね１４に対応する部分及びブラシ８に対応する部分は、ブラシ８の摩耗に伴って変化するが、蓋壁１２は、常に（摩耗が進んでも）圧縮コイルばね１４に対応する部分（付勢部材側蓋壁延設部１２ａ）及びブラシ８に対応する部分（ブラシ側蓋壁延設部１２ｂ）を有するように形成されている。
【００２３】
又、下壁９は、図３に示すように、蓋壁１２と軸方向に重ならないように形成されている。この下壁９は、径方向において圧縮コイルばね１４に対応する部分（径方向外側であって蓋壁１２が形成されない部分）に、第１側壁１０から第２側壁１１側へ圧縮コイルばね１４の周方向中央を超えて（本実施の形態では第２側壁１１まで）延設された付勢部材側下壁延設部９ａを備える。又、下壁９は、径方向においてブラシ８に対応する部分（径方向内側であって蓋壁１２が形成されない部分）に、第１側壁１０から第２側壁１１側へブラシ８の周方向中央を超えて（本実施の形態では第２側壁１１まで）延設されたブラシ側下壁延設部９ｂを備える。又、下壁９は、径方向において中央部であって蓋壁１２が形成される部分（前記付勢部材側下壁延設部９ａとブラシ側下壁延設部９ｂとの間）に、第１側壁１０から第２側壁１１側へブラシ８の周方向中央を超えないように延設された小延設部９ｃを備える。即ち、下壁９には、蓋壁１２と軸方向に重なる部分に略長方形状の貫通孔９ｄが設けられている。
【００２４】
図２に示すように、基板６において前記ブラシ保持部７が突出する側と反対側の端面６ｃには、保持部１７が突設されている。保持部１７には、一対の給電板１８がインサート成形により埋設されている。尚、図２では、給電板１８が紙面直交方向に並ぶため、１つのみ図示している。各給電板１８は、保持部１７の先端から更に突出（露出）する外部側接続端子１８ａ（図２参照）と、基板６において前記ブラシ保持部７が突出する側の端面６ｂから突出（露出）するブラシ側接続端子１８ｂ（図１参照）とを有する。尚、一対のブラシ側接続端子１８ｂは、一方（図１中、下側）のブラシ保持部７の近傍であって、同ブラシ保持部７の周方向反時計回り側に並設される。
【００２５】
また、基板６において前記ブラシ保持部７が突出する側の端面６ｂには、その基端部が前記各ブラシ側接続端子１８ｂと電気的に接続され、先端部が前記ブラシ保持部７の近傍であってそのブラシ保持部７の周方向反時計回り側に配置される一対の導電板１９ａ，１９ｂが保持されている。この導電板１９ａ，１９ｂは、その厚さ方向が軸方向に対して直交する方向となるように、言い換えると、その幅方向が軸方向に沿った方向となるように、前記端面６ｂに形成された保持溝２０にその一部が嵌入されて保持されている。尚、一方の（図１中、下側のブラシ保持部７に対応した）導電板１９ａは短く形成され、他方の（図１中、上側のブラシ保持部７に対応した）導電板１９ｂは長く形成されるとともに、その中間部が（図１中、上側の）ブラシ保持部７の径方向外側を通るように基板６の外縁近傍に略沿って配置されている。
【００２６】
また、各導電板１９ａ，１９ｂの先端部には、基板６の端面６ｂから軸方向に突出する導電板突出部２１ａ，２１ｂが設けられている。又、各導電板突出部２１ａ，２１ｂの先端部であって、ブラシ８とピッグテール１５との接続位置よりも反基板側（軸方向一方側であって、図２中、右側）の位置には、基板６と平行になるように折り曲げられて形成された接続端子２２ａ，２２ｂが設けられている。そして、接続端子２２ａ，２２ｂには、ピッグテール１５の先端部が電気的に接続されている。即ち、前記ピッグテール１５は、自身（その基端部）とブラシ８との接続位置よりも周方向反時計回り側（周方向一方側）且つ軸方向先端側（軸方向一方側）で接続端子２２ａ，２２ｂに接続されている。なお、本実施の形態の接続端子２２ａ，２２ｂは、ブラシ保持部７の高さよりも低い位置で折り曲げられて形成されている。又、前記給電板１８の外部側接続端子１８ａは、図示しない外部電源に接続されることになる。そして、給電板１８、導電板１９ａ，１９ｂ（接続端子２２ａ，２２ｂ）、ピッグテール１５を介して外部電源から各ブラシ８に電流が供給されることになる。
【００２７】
次に、上記実施の形態の作用効果を以下に記載する。
（１）導出口１６は、ブラシ８の周方向側面に沿う第１側壁１０とブラシ８の軸方向端面に沿う蓋壁１２とに跨って設けられ、周方向一方側と軸方向一方側とに開口するため、従来の蓋壁のみに形成されるスリットに比べて大きく開口する。そして、ピッグテール１５は、ブラシ８との接続位置よりも周方向一方側且つ軸方向一方側で接続端子２２ａ，２２ｂに接続されるため、ブラシ保持部７の側壁や蓋壁１２が形成されない方向（開口の中央方向）へ引き出されて接続端子２２ａ，２２ｂに接続されることになる。よって、ピッグテール１５とブラシ保持部７とが接触することを低減することができる。その結果、ピッグテール１５とブラシ保持部７との接触により生じる摩擦力（摩擦抵抗）によって整流子３とブラシ８との良好な接触が妨げられるといったことが低減され、整流子３とブラシ８との良好な接触を安定して得ることができる。
【００２８】
（２）ピッグテール１５はブラシ８の周方向反時計回り側の側面８ａに接続されているため、ピッグテール１５は周方向に導出される。よって、ブラシ８の軸方向端面に接続されたピッグテールを軸方向に導出した場合と比較して、直流モータ１の短軸化を図ることができる。なお、このような構成は、プランジャポンプ駆動用モータなどの扁平型モータには特に有利である。
【００２９】
（３）下壁９及び蓋壁１２は軸方向から見て互いに重ならないように形成されているため、例えばブラシ保持部７を上下型のみで容易に一体成形することができる。
（４）第１側壁１０及び第２側壁１１の突設部１０ａ，１１ａにより圧縮コイルばね１４の軸方向中央部分が支持（周方向両方向の移動が規制）される。また、下壁９の付勢部材側下壁延設部９ａ及び蓋壁１２の付勢部材側蓋壁延設部１２ａにより圧縮コイルばね１４の周方向中央部分が支持（軸方向両側への移動が規制）されるため、圧縮コイルばね１４を安定支持することができる。
【００３０】
（５）下壁９のブラシ側下壁延設部９ｂ及び蓋壁１２のブラシ側蓋壁延設部１２ｂにより、ブラシ８の周方向中央部分が支持（軸方向両側への移動が規制）されるため、ブラシ８を安定支持することができる。
【００３１】
（６）接続端子２２ａ，２２ｂを、厚さ方向が軸方向に対して直交する方向となるように基板６に保持された導電板１９ａ，１９ｂを基板６と平行になるように折り曲げて形成することにより、接続端子２２ａ，２２ｂを軸方向に大きく突出させることなく基板６から離れた位置に容易に設けることができる。また、導電板１９ａ，１９ｂは、厚さ方向が軸方向に対して直交する方向となるように基板６に保持されているため、軸方向から見て基板６において導電板１９ａ，１９ｂを保持する部分を小さくすることが可能となり、本実施の形態のようにブラシ保持部７の径方向外側を通るように配置しても基板６を径方向に小さくすることができる。
【００３２】
尚、本発明の実施の形態は、以下のように変更してもよい。
・上記実施の形態では、ピッグテール１５は、ブラシ８の周方向反時計回り側の側面８ａに接続されるとしたが、軸方向端面に接続してもよい。なお、この場合、勿論、蓋壁１２の形状を変更する（小さくする）といった必要がある。
【００３３】
・上記実施の形態では、下壁９及び蓋壁１２は、軸方向に重ならないように形成されるとしたが、軸方向に重なるように形成してもよい。なお、この場合、例えばスライドコアを用いて一体成形するといった必要が生じる。また、この場合、付勢部材支持部１３を別部材から構成してもよい。
【００３４】
・上記実施の形態では、第１側壁１０及び第２側壁１１は、基板６から圧縮コイルばね１４の軸方向中央を超えて突設され（突設部１１ａ，１２ａを有し）、下壁９及び蓋壁１２は、第２側壁１１から第１側壁１０側へ圧縮コイルばね１４の周方向中央を超えて延設され（付勢部材側下壁延設部９ａ及び付勢部材側蓋壁延設部１２ａを有し）ている。しかしながら、このような態様に限定されず、圧縮コイルばね１４を支持することが可能であれば、第１側壁１０、第２側壁１１、下壁９及び蓋壁１２の形状や延設方向は適宜変更可能である。
【００３５】
・上記実施の形態では、下壁９及び蓋壁１２は、ブラシ８の周方向中央を超えて延設され（ブラシ側下壁延設部９ｂ及びブラシ側蓋壁延設部１２ｂを有し）ている。しかしながら、このような態様に限定されず、ブラシ８を移動可能に保持することが可能であれば、下壁９及び蓋壁１２の形状や延設方向は適宜変更可能である。
【００３６】
・上記実施の形態では、接続端子２２ａ，２２ｂは、ブラシ保持部７の高さよりも低い位置に形成されているとしたが、ピッグテール１５とブラシ８との接続位置よりも周方向反時計回り側（周方向一方側）且つ軸方向先端側（軸方向一方側）に設けられていればよい。例えば、接続端子をブラシ保持部７の高さよりも高い（軸方向に突出する）位置に形成してもよい。
【００３７】
・上記実施の形態では、導電板１９ａ，１９ｂ（導電板突出部２１ａ，２１ｂ）は、厚さ方向が軸方向に対して直交する方向となるように基板６に保持されるとしたが導電板１９ａ，１９ｂ（導電板突出部２１ａ，２１ｂ）の構成は他の構成に変更してもよい。例えば、厚さ方向が軸方向と沿うように基板６に保持された導電板１９ａ，１９ｂ（導電板突出部２１ａ，２１ｂ）としてもよい。
【００３８】
・上記実施の形態では、付勢部材として圧縮コイルばね１４を用いたが、捩りコイルばねを用いてもよい。なお、この場合、例えば付勢部材支持部１３を削除する等、捩りコイルばねに応じた変更が必要となる。
【００３９】
・上記実施の形態では、基板６には２つのブラシ保持部７が設けられているが、ブラシ保持部７の数は適宜変更可能である。
【図面の簡単な説明】
【００４０】
【図１】本実施の形態のブラシ装置を軸方向一方側から見た模式図。
【図２】図１のＡ−Ｏ−Ｂ断面図。
【図３】本実施の形態のブラシ装置の一部を軸方向他方側から見た模式図。
【符号の説明】
【００４１】
３…整流子、４…ブラシ装置、６…基板、７…ブラシ保持部、８…ブラシ、８ａ…側面、９…下壁、９ａ…付勢部材側下壁延設部、９ｂ…ブラシ側下壁延設部、１０…第１側壁、１０ａ，１１ａ…突設部、１１…第２側壁、１２…蓋壁、１２ａ…付勢部材側蓋壁延設部、１２ｂ…ブラシ側蓋壁延設部、１３…付勢部材支持部、１４…付勢部材としての圧縮コイルばね、１５…ピッグテール、１６…導出口、１９ａ，１９ｂ…導電板、２２ａ，２２ｂ…接続端子。
【図１】
2008104294.tif 000003
【図２】
2008104294.tif 000004
【図３】
2008104294.tif 000005